(57)【要約】【課題】例えば沢や渓流等でのアウトドア・アクティビティにおいて、水辺等を滑らずに歩行するのに適した特性と、岩場等を登る際にグリップするのに適した特性の両方を備えたハイブリットタイプのフェルトシューズを提供することにある。【解決手段】地面に接地されるソール面の足の爪先部分に対応する領域がラバー材（４１）で形成され、その他の領域がフェルト材（４２）で形成されており、前記フェルト材の側周面上部側を囲うように防壁状のラバー材（３１）が配置されている靴底（４）を備えた構成とする。【選択図】図２
0003206409.tif 000002
【実用新案登録請求の範囲】
【請求項１】
地面に接地されるソール面の足の爪先部分に対応する領域がラバー材で形成され、その他の領域がフェルト材で形成されており、前記フェルト材の側周面上部側を囲うように防壁状のラバー材が配置されている靴底を備えたことを特徴とするフェルトシューズ。
【請求項２】
前記防壁状のラバー材は、隙間を介在して前記フェルト材の側周面上部側を囲っていることを特徴とする請求項１に記載のフェルトシューズ。
【請求項３】
前記フェルト材は、ラバー材で形成されたミッドソールに固着されて支持されており、該ミッドソールのラバー材に前記ソール面の一部を形成するラバー材及び前記防壁状のラバー材が一体的に形成されていることを特徴とする請求項１又は２に記載のフェルトシューズ。
【考案の詳細な説明】
【技術分野】
【０００１】
本考案は、アウトドア・アクティビティにおいて、水辺等を滑らずに歩行するのに適した特性と、岩場等を登る際にグリップするのに適した特性の両方を備えたハイブリットタイプのフェルトシューズに関する。
【背景技術】
【０００２】
例えば沢や渓流等でトレッキングやハイキングといったアウトドア・アクティビティを行う場合、苔などで滑らないようにするために、地面に接地されるソール面の全体がフェルト材で形成されたフェルトシューズが着用される（例えば、特許文献１）。
【０００３】
フェルト材で靴底を形成した靴は、釣り用靴が主流である（例えば、特許文献２〜４参照）。これら釣り用靴は、地面に接地されるソール面の一部がゴムになるように複数のゴムピンを配設する（特許文献２）、踵の部分をゴムにする（特許文献３）、フェルト材の側周面を囲う壁を立設する（特許文献３）といった種々の改善検討がなされている。しかしながら、これら釣り用靴は、所謂長靴であって例えばトレッキングやハイキングといった歩行量の多いアウトドア・アクティビティ向きではない。
【先行技術文献】
【特許文献】
【０００４】
【特許文献１】実用新案登録第３０５７９３６号公報
【特許文献２】特開２００６−２８９０６３号公報
【特許文献３】特開２００６−１７５２１８号公報
【特許文献４】特開平６−２０９８０１号公報
【考案の概要】
【考案が解決しようとする課題】
【０００５】
一般的に、ロッククライミングなど岩場を登ることを主目的としたアウトドア・アクティビティでは、クライミングシューズといったフェルトシューズとは別の種類のシューズが着用される。沢や渓流等でトレッキングやハイキングするアウトドア・アクティビティでも、水流や湿りのある水辺のところを歩行するだけでなく、岩場を登る場面も頻繁にあるので、従来のフェルトシューズの特長とクライミングシューズの特長の両方を備えた新たなシューズの開発が望まれていた。
【０００６】
本考案は、上述した問題点を解決するためになされたものであり、その目的は、例えば沢や渓流等でのアウトドア・アクティビティにおいて、水辺等を滑らずに歩行するのに適した特性と、岩場等を登る際にグリップするのに適した特性の両方を備えたハイブリットタイプのフェルトシューズを提供することにある。
【課題を解決するための手段】
【０００７】
すなわち、本考案の要旨は以下の通りである。
（１）本考案のフェルトシューズは、地面に接地されるソール面の足の爪先部分に対応する領域がラバー材で形成され、その他の領域がフェルト材で形成されており、前記フェルト材の側周面上部側を囲うように防壁状のラバー材が配置されている靴底を備えたことを特徴とする。
（２）前記防壁状のラバー材は、隙間を介在して前記フェルト材の側周面上部側を囲っている構成とする。
（３）前記フェルト材は、ラバー材で形成されたミッドソールに固着されて支持されており、該ミッドソールのラバー材に前記ソール面の一部を形成するラバー材及び前記防壁状のラバー材が一体的に形成されている構成とする。
【考案の効果】
【０００８】
本考案のフェルトシューズによれば、地面に接地されるソール面の足の爪先部分に対応する領域がラバー材で形成され、その他の領域がフェルト材で形成された靴底を備えたことにより、従来のフェルトシューズの特長とクライミングシューズの特長の両方を備えた新たなシューズを具現化できる。すなわち、水辺等を歩行するときは滑らないように足裏全体を使って歩行するのでフェルト材の特長が活かせ、岩場等を登るときには足の爪先部分でグリップしながら登るのでラバー材の特長が活かせる。その結果、水辺等を滑らずに歩行するのに適した特性と、岩場等を登る際にグリップするのに適した特性の両方を備えることが可能となる。
【０００９】
さらに、本考案のフェルトシューズは、フェルト材の側周面上部側を囲うように防壁状のラバー材を配置したことにより、岩や木の枝などにフェルト材の側面が衝突するのを防ぐことができる。これにより、アウトドア・アクティビティを行っている最中にフェルト材が変形したり欠損したりするのを抑えることができ、フェルトシューズの耐久性が向上する。
【図面の簡単な説明】
【００１０】
【図１】本考案の一実施形態に従うフェルトシューズの全体斜視図である。
【図２】上記フェルトシューズの靴底部分を示す部分側面図である。
【図３】上記フェルトシューズのソール面を示す底面図である。
【図４】上記フェルトシューズの靴底部分の断面図である。
【考案を実施するための形態】
【００１１】
本考案の好ましい実施形態に従うフェルトシューズについて、添付図面を参照しながら詳しく説明する。但し、以下に説明する実施形態によって本考案の技術的範囲は何ら限定されることはない。
【００１２】
図１は、本実施形態に従うフェルトシューズ１の全体斜視図であり、図２は、フェルトシューズ１の部分側面図である。本実施形態に従うフェルトシューズ１は、足の甲の部分を覆うアッパー（甲皮）２と、ミッドソール（中底）３と、地面に接地されるソール面を形成するアウトソール（靴底）４を、主要な構成要素としている。
【００１３】
アッパー２は、図１に示すように、靴紐２１、フック２２、タン２３、トゥカップ２４、サイドプロテクター２５、及び図示を省略するインソール（中敷）といったアウトドア向けシューズが一般的に備えるパーツにより構成されている。但し、図１に示すミドルカットのアッパー２は、一例であり、アッパー２の形状や素材が限定されることはない。例えばローカット又はハイカットのアッパー２であってもよく、アッパー２を構成するパーツについても、形状や素材の変更及び追加並びに省略を適宜行うことが可能である。
【００１４】
ミッドソール３は、上面側でアッパー２を支持すると共に、下面側でアウトソール４を保持するように足裏全体に亘って形成されている。ミッドソール３の材質には、アウトソールとしても使用可能な一般的なシューズ用のラバー材が採用され、その先端部分に例えば５〜５０ｍｍの範囲内で厚みをつけて二段構造とすることでアウトソール４の一部をラバー材４１で形成するようになっている。より詳しくは、図３の底面図に示すように、アウトソール４の一部を形成するラバー材４１は、足の爪先が位置する領域を包含するように概ね三日月形状を呈している。但し、図３に示したのは好ましい一例であって、アウトソール４の一部を形成するラバー材４１の形状、大きさ及び厚みは、シューズサイズ等に応じて適宜変更することが可能である。すなわち、「地面に接地されるソール面の足の爪先部分に対応する領域」とは、岩場等を登る際に足の爪先に力を加えたときに、その力が作用する領域がラバー材４１でカバーされていればよい。
【００１５】
また、ミッドソール３は、着地時の足への衝撃を和らげるために弾力性や緩衝性を有する素材を、足裏全体に亘って前記ラバー材に積層するなどした、積層構造にするのが好ましい。
【００１６】
アウトソール４は、図３の底面図に示すように、上述のラバー材４１で形成される領域以外がフェルト材４２により形成されている。フェルト材４２は、従来のフェルトシューズでも使用されている例えば５〜５０ｍｍの範囲内の厚みを有する一般的なものを用いることができる。但し、従来のフェルトシューズは、フェルト材側面が完全に露出しているが、本実施形態の場合は、フェルト材４２の側面をガードするための防壁状のラバー材３１を設けている。
【００１７】
防壁状のラバー材３１は、図３の底面図に示すように、フェルト材４２の側周面（ラバー材４１側の面を除く）を囲うように配置されている。但し、図４の断面図（図３のＡ−Ａ’断面図）に示すように、防壁状のラバー材３１の端面３１ａは、着地時におけるフェルト材４２の圧縮変形等を考慮し、ソール面を形成するフェルト材表面よりも上方位置に設定されている。すなわち、フェルト材４２の側周面上部側を囲うように防壁状のラバー材３１が配置された構成になっている。さらに、着地時におけるフェルト材４２の圧縮変形等を考慮し、フェルト材４２の側周面と防壁状のラバー材３１の側周面を接合せず、数話ミリ程度の僅かな隙間を介在して対向するようにしている。防壁状のラバー材３１の厚みは、一例として２〜１０ｍｍの範囲内に設定することができ、僅かな隙間は、一例として０．１〜５ｍｍの範囲内に設定することができる。
【００１８】
ミッドソール３を形成する（ミッドソールが積層構造の場合は下層に位置する）ラバー材、アウトソール４の一部を成すラバー材４１、及び防壁状のラバー材３１は、図の例のように、一体成形するのが好ましいが、別々に成形して接合するようにしてもよい。
【００１９】
上述の実施形態に従うフェルトシューズ１によれば、ソール面の足の爪先部分に対応する領域がラバー材４１で形成され、その他の領域がフェルト材４１で形成されているので、水辺等を歩行するときはフェルト材４１の部分を使って滑らないように歩行することができ、岩場等を登るときにはラバー材４１の部分を使って足の爪先部分でグリップしながら登ることができる。
【００２０】
さらに、上述の実施形態に従うフェルトシューズ１によれば、フェルト材４２の側周面上部側を囲うように防壁状のラバー材３１を配置したので、岩や木の枝などの衝突からフェルト材４２をガードすることができる。
【００２１】
以上、本考案の具体的な実施形態に関して説明したが、本考案の範囲を逸脱しない限り様々な変形が可能であることは、当該技術分野における通常の知識を有する者にとって自明なことである。従って、本考案の技術的範囲は、上述した実施形態に限定されるものではなく、実用新案登録請求の範囲及びこれと均等なものに基づいて定められるべきである。
【符号の説明】
【００２２】
１    フェルトシューズ
２    アッパー
３    ミッドソール
３１  防壁状のラバー材
４    アウトソール  
４１  アウトソールを形成するラバー材
４２  アウトソールを形成するフェルト材
【図１】
0003206409.tif 000003
【図２】
0003206409.tif 000004
【図３】
0003206409.tif 000005
【図４】
0003206409.tif 000006